【手続補正書】
【提出日】平成25年3月28日(2013.3.28)
【手続補正１】
【補正対象書類名】明細書
【補正対象項目名】０１２７
【補正方法】変更
【補正の内容】
【０１２７】
他の実施形態も以下の請求項の範囲に含まれる場合がある。
［項目１］
複数の無線通信デバイスにそれぞれ関連付けられている複数の空間無線チャネルの特徴を決定するべく、前記複数の無線通信デバイスと通信する段階と、
前記通信の結果の１以上の出力に基づいて、前記複数の無線通信デバイスにそれぞれ関連付けられている複数のステアリングマトリクスを決定する段階と、
前記複数のステアリングマトリクスに基づいて前記複数の無線通信デバイスに対して空間的にステアリングされ、それぞれ異なる空間無線チャネルで前記複数の無線通信デバイスに同時にデータを提供する信号を送信する段階とを備える方法。
［項目２］
前記複数の無線通信デバイスと通信する段階は、
前記複数の無線通信デバイスに１以上のサウンディングパケットを１周波数帯域で送信する段階と、
前記１以上のサウンディングパケットに応じて、前記複数の無線通信デバイスから、受信されたサウンディングパケットに基づき無線チャネル推定値から導出されたフィードバックパケットを受信する段階とを有する項目１に記載の方法。
［項目３］
前記フィードバックパケットを受信する段階は、
（ｉ）前記複数の無線通信デバイスのうちの第１のデバイスから第１のチャネル状態情報を受信して、（ｉｉ）前記複数の無線通信デバイスのうちの第２のデバイスから第２のチャネル状態情報を受信する段階を有し、
前記複数のステアリングマトリクスを決定する段階は、
前記第２のチャネル状態情報に少なくとも基づいて第１のステアリングマトリクスを決定する段階と、
前記第１のチャネル状態情報に少なくとも基づいて第２のステアリングマトリクスを決定する段階とを有する項目２に記載の方法。
［項目４］
前記フィードバックパケットを受信する段階は、
（ｉ）前記複数の無線通信デバイスのうちの第１のデバイスから第１のフィードバックマトリクスを示すビーム形成情報を受信して、（ｉｉ）前記複数の無線通信デバイスのうちの第２のデバイスから第２のフィードバックマトリクスを示すビーム形成情報を受信する段階を有し、
前記複数のステアリングマトリクスを決定する段階は、
前記第１のフィードバックマトリクスに少なくとも基づいて第１のステアリングマトリクスを決定する段階と、
前記第２のフィードバックマトリクスに少なくとも基づいて第２のステアリングマトリクスを決定する段階とを有する項目２に記載の方法。
［項目５］
前記フィードバックパケットを受信する段階は、
（ｉ）前記複数の無線通信デバイスのうちの第１のデバイスから第１の干渉マトリクスを示す干渉除去情報を受信して、（ｉｉ）前記複数の無線通信デバイスのうちの第２のデバイスから第２の干渉マトリクスを示す干渉除去情報を受信する段階を有し、
前記第１の干渉マトリクスは、前記第１のデバイスに関連付けられている無線チャネルマトリクスのヌルスペースに基づいており、前記第２の干渉マトリクスは、前記第２のデバイスに関連付けられている無線チャネルマトリクスのヌルスペースに基づいており、
前記複数のステアリングマトリクスを決定する段階は、
前記第２の干渉マトリクスに少なくとも基づいて第１のステアリングマトリクスを決定する段階と、
前記第１の干渉マトリクスに少なくとも基づいて第２のステアリングマトリクスを決定する段階とを有する項目２に記載の方法。
［項目６］
前記複数の無線通信デバイスと通信する段階は、
前記複数の無線通信デバイスに１以上のサウンディング要求を１周波数帯域で送信する段階と、
前記１以上のサウンディング要求に応じて、前記複数の無線通信デバイスからサウンディングパケットを受信する段階とを有し、
前記複数のステアリングマトリクスを決定する段階は、
受信された前記サウンディングパケットに基づき無線チャネルマトリクスを推定する段階を有する項目１に記載の方法。
［項目７］
装置であって、
信号を送受信するトランシーバエレクトロニクスと、
（ｉ）複数の無線通信デバイスにそれぞれ関連付けられている複数の空間無線チャネルに関する情報を決定するべく、前記複数の無線通信デバイスと通信して、（ｉｉ）前記情報に基づいて、前記複数の無線通信デバイスにそれぞれ関連付けられている複数のステアリングマトリクスを決定して、（ｉｉｉ）前記トランシーバエレクトロニクスに命令して、前記複数のステアリングマトリクスに基づいて前記複数の無線通信デバイスに対して空間的にステアリングされ、それぞれ異なる空間無線チャネルで前記複数の無線通信デバイスに同時にデータを提供する信号を送信させるプロセッサエレクトロニクスとを備える装置。
［項目８］
前記プロセッサエレクトロニクスは、
前記トランシーバエレクトロニクスに、（ｉ）前記複数の無線通信デバイスに１以上のサウンディングパケットを１周波数帯域で送信させ、（ｉｉ）前記１以上のサウンディングパケットに応じて、前記複数の無線通信デバイスから、受信されたサウンディングパケットに基づき無線チャネル推定値から導出されたフィードバックパケットを受信させる項目７に記載の装置。
［項目９］
前記プロセッサエレクトロニクスは、
（ｉ）前記複数の無線通信デバイスのうちの第１のデバイスから第１のチャネル状態情報を受信して、（ｉｉ）前記複数の無線通信デバイスのうちの第２のデバイスから第２のチャネル状態情報を受信して、（ｉｉｉ）前記第２のチャネル状態情報に少なくとも基づいて第１のステアリングマトリクスを決定して、（ｉｖ）前記第１のチャネル状態情報に少なくとも基づいて第２のステアリングマトリクスを決定する項目８に記載の装置。
［項目１０］
前記プロセッサエレクトロニクスは、
（ｉ）前記複数の無線通信デバイスのうちの第１のデバイスから第１のフィードバックマトリクスを示すビーム形成情報を受信して、（ｉｉ）前記複数の無線通信デバイスのうちの第２のデバイスから第２のフィードバックマトリクスを示すビーム形成情報を受信して、（ｉｉｉ）前記第１のフィードバックマトリクスに少なくとも基づいて第１のステアリングマトリクスを決定して、（ｉｖ）前記第２のフィードバックマトリクスに少なくとも基づいて第２のステアリングマトリクスを決定する項目８に記載の装置。
［項目１１］
前記プロセッサエレクトロニクスは、
（ｉ）前記複数の無線通信デバイスのうちの第１のデバイスから第１の干渉マトリクスを示す干渉除去情報を受信して、（ｉｉ）前記複数の無線通信デバイスのうちの第２のデバイスから第２の干渉マトリクスを示す干渉除去情報を受信して、（ｉｉｉ）前記第２の干渉マトリクスに少なくとも基づいて第１のステアリングマトリクスを決定して、（ｉｖ）前記第１の干渉マトリクスに少なくとも基づいて第２のステアリングマトリクスを決定して、
前記第１の干渉マトリクスは、前記第１のデバイスに関連付けられている無線チャネルマトリクスのヌルスペースに基づいており、前記第２の干渉マトリクスは、前記第２のデバイスに関連付けられている無線チャネルマトリクスのヌルスペースに基づいている項目８に記載の装置。
［項目１２］
前記プロセッサエレクトロニクスは、前記トランシーバエレクトロニクスに、
（ｉ）前記複数の無線通信デバイスに１以上のサウンディング要求を１周波数帯域で送信させ、（ｉｉ）前記１以上のサウンディング要求に応じて、前記複数の無線通信デバイスからサウンディングパケットを受信させ、
前記複数のステアリングマトリクスの決定には、受信された前記サウンディングパケットに基づく無線チャネルマトリクスの推定が含まれる項目７に記載の装置。
［項目１３］
システムであって、
（ｉ）複数の無線通信デバイスにそれぞれ関連付けられている複数の空間無線チャネルに関する情報を決定するべく、前記複数の無線通信デバイスと通信して、（ｉｉ）前記情報に基づいて、前記複数の無線通信デバイスにそれぞれ関連付けられている複数のステアリングマトリクスを決定して、（ｉｉｉ）前記複数のステアリングマトリクスに基づいて前記複数の無線通信デバイスに対して空間的にステアリングされ、それぞれ異なる空間無線チャネルで前記複数の無線通信デバイスに同時にデータを提供する信号を送信するアクセスポイントを備えるシステム。
［項目１４］
前記アクセスポイントは、
（ｉ）前記複数の無線通信デバイスに１以上のサウンディングパケットを１周波数帯域で送信して、（ｉｉ）前記１以上のサウンディングパケットに応じて、前記複数の無線通信デバイスから、受信されたサウンディングパケットに基づき無線チャネル推定値から導出されたフィードバックパケットを受信する項目１３に記載のシステム。
［項目１５］
前記アクセスポイントは、
（ｉ）前記複数の無線通信デバイスのうちの第１のデバイスから第１のチャネル状態情報を受信して、（ｉｉ）前記複数の無線通信デバイスのうちの第２のデバイスから第２のチャネル状態情報を受信して、（ｉｉｉ）前記第２のチャネル状態情報に少なくとも基づいて第１のステアリングマトリクスを決定して、（ｉｖ）前記第１のチャネル状態情報に少なくとも基づいて第２のステアリングマトリクスを決定する項目１４に記載のシステム。
［項目１６］
前記アクセスポイントは、
（ｉ）前記複数の無線通信デバイスのうちの第１のデバイスから第１のフィードバックマトリクスを示すビーム形成情報を受信して、（ｉｉ）前記複数の無線通信デバイスのうちの第２のデバイスから第２のフィードバックマトリクスを示すビーム形成情報を受信して、（ｉｉｉ）前記第１のフィードバックマトリクスに少なくとも基づいて第１のステアリングマトリクスを決定して、（ｉｖ）前記第２のフィードバックマトリクスに少なくとも基づいて第２のステアリングマトリクスを決定する項目１４に記載のシステム。
［項目１７］
前記アクセスポイントは、
（ｉ）前記複数の無線通信デバイスのうちの第１のデバイスから第１の干渉マトリクスを示す干渉除去情報を受信して、（ｉｉ）前記複数の無線通信デバイスのうちの第２のデバイスから第２の干渉マトリクスを示す干渉除去情報を受信して、（ｉｉｉ）前記第２の干渉マトリクスに少なくとも基づいて第１のステアリングマトリクスを決定して、（ｉｖ）前記第１の干渉マトリクスに少なくとも基づいて第２のステアリングマトリクスを決定して、
前記第１の干渉マトリクスは、前記第１のデバイスに関連付けられている無線チャネルマトリクスのヌルスペースに基づいており、前記第２の干渉マトリクスは、前記第２のデバイスに関連付けられている無線チャネルマトリクスのヌルスペースに基づいている項目１４に記載のシステム。
［項目１８］
前記アクセスポイントは、
（ｉ）前記複数の無線通信デバイスに１以上のサウンディング要求を１周波数帯域で送信させ、（ｉｉ）前記１以上のサウンディング要求に応じて、前記複数の無線通信デバイスからサウンディングパケットを受信して、
前記複数のステアリングマトリクスの決定には、受信された前記サウンディングパケットに基づく無線チャネルマトリクスの推定が含まれる項目１３に記載のシステム。
［項目１９］
第１群のアンテナと、
第２群のアンテナとをさらに備え、
前記アクセスポイントは、
（ｉ）前記第１群のアンテナにサウンディングを行うべく第１のサウンディングパケットを送信して、（ｉｉ）前記第２群のアンテナにサウンディングを行うべく第２のサウンディングパケットを送信する項目１３に記載のシステム。
［項目２０］
前記アクセスポイントは、
1以上のレガシーデバイスに、空間分割多重アクセスフレーム（ＳＤＭＡフレーム）の処理を無視させて、前記ＳＤＭＡフレームの送信中に、前記１以上のレガシーデバイスが送信を行わないようにさせるシグナリング情報を送信する項目１３に記載のシステム。
【手続補正２】
【補正対象書類名】特許請求の範囲
【補正対象項目名】全文
【補正方法】変更
【補正の内容】
【特許請求の範囲】
【請求項１】
空間無線チャネルの特徴を決定すべく、空間マッピングマトリクスに基づくサウンディングパケットを、１以上の無線通信デバイスに送信する段階と、
前記サウンディングパケットに応じて、前記１以上の無線通信デバイスから、受信された前記サウンディングパケットのバージョンに基づく無線チャネル推定値から導出された１以上のフィードバックマトリクスを示す１以上のフィードバックパケットを受信する段階と、
複数のデータストリーム、並びに前記空間マッピングマトリクス及び前記１以上のフィードバックマトリクスに基づく１以上のステアリングマトリクスに基づき空間的にステアリングされたデータパケットを生成する段階と、
それぞれが異なる空間無線チャネルを介して前記１以上の無線通信デバイスに前記データストリームを同時に提供する前記空間的にステアリングされたデータパケットを含むフレームを、前記１以上の無線通信デバイスに送信する段階と
を備える方法。
【請求項２】
前記フィードバックパケットを受信する段階は、
前記複数の無線通信デバイスのうちの第１のデバイスから第１のフィードバックマトリクスを示す第１のビーム形成情報を受信する段階と、
前記複数の無線通信デバイスのうちの第２のデバイスから第１のフィードバックマトリクスを示す第２のビーム形成情報を受信する段階と
を有する請求項１に記載の方法。
【請求項３】
前記第１のフィードバックマトリクスに少なくとも基づいて前記１以上のステアリングマトリクスのうちの第１のステアリングマトリクスを決定する段階と、
前記第２のフィードバックマトリクスに少なくとも基づいて前記１以上のステアリングマトリクスのうちの第２のステアリングマトリクスを決定する段階と
をさらに備える請求項２に記載の方法。
【請求項４】
さらなるパケットを送信して、前記第２のデバイスに、前記第２ビーム形成情報を送信させる段階をさらに有する請求項２または３に記載の方法。
【請求項５】
前記サウンディングパケットに応じて最初にフィードバックを送信するだろう前記１以上の無線通信デバイスのうちの一つを示すサウンディングアナウンスを送信する段階をさらに備える請求項１から３の何れか１項の記載の方法。
【請求項６】
前記フレームは、ステアリングされていない物理（ＰＨＹ）フレームを含む第１セグメント、及び前記空間的にステアリングされたデータパケットを含む第２セグメントを有する請求項１から５の何れか１項に記載の方法。
【請求項７】
前記空間的にステアリングされたデータパケットは、単一の無線通信デバイスに送信され、前記フレームを送信する段階は、前記単一の無線通信デバイスの２以上のアンテナにより、受信のための２以上のアンテナを介して前記フレームを送信することを含む請求項１から５の何れか１項に記載の方法。
【請求項８】
前記空間的にステアリングされたデータパケットのそれぞれは、異なる無線通信デバイスに対して意図され、前記フレームを送信する段階は、前記異なる無線通信デバイスの２以上のアンテナにより、受信のための２以上のアンテナを介して前記フレームを送信することを含む請求項１から５の何れか１項に記載の方法。
【請求項９】
信号を送受信するトランシーバエレクトロニクスと、
前記トランシーバエレクトロニクスと通信結合したプロセッサエレクトロニクスと
を備え、
前記プロセッサエレクトロニクスは、
空間無線チャネルの特徴を決定すべく、空間マッピングマトリクスに基づくサウンディングパケットを、１以上の無線通信デバイスに送信して、
前記サウンディングパケットに応じて、前記１以上の無線通信デバイスから、受信された前記サウンディングパケットのバージョンに基づく無線チャネル推定値から導出された１以上のフィードバックマトリクスを示す１以上のフィードバックパケットを受信して、
複数のデータストリーム、並びに前記空間マッピングマトリクス及び前記１以上のフィードバックマトリクスに基づく１以上のステアリングマトリクスに基づき空間的にステアリングされたデータパケットを生成して
それぞれが異なる空間無線チャネルを介して前記無線通信デバイスに前記データストリームを同時に提供する前記空間的にステアリングされたデータパケットを含むフレームを、前記無線通信デバイスに送信する
装置。
【請求項１０】
前記プロセッサエレクトロニクスは、
前記複数の無線通信デバイスのうちの第１のデバイスから第１のフィードバックマトリクスを示す第１ビーム形成情報を受信して、
前記複数の無線通信デバイスのうちの第２のデバイスから第２のフィードバックマトリクスを示す第２ビーム形成情報を受信する
請求項８に記載の装置。
【請求項１１】
前記プロセッサエレクトロニクスは、
前記第１のフィードバックマトリクスに少なくとも基づいて前記１以上のステアリングマトリクスのうちの第１のステアリングマトリクスを決定して、
前記第２のフィードバックマトリクスに少なくとも基づいて前記１以上のステアリングマトリクスのうちの第２のステアリングマトリクスを決定する
請求項９に記載の装置。
【請求項１２】
前記プロセッサエレクトロニクスは、
さらなるパケットを送信して、前記第２のデバイスに、前記第２ビーム形成情報を送信させる請求項１０または１１に記載の装置。
【請求項１３】
前記プロセッサエレクトロニクスは、前記サウンディングパケットに応じて最初にフィードバックを送信するだろう前記１以上の無線通信デバイスのうちの一つを示すサウンディングアナウンスを送信する請求項８から１０の何れか１項の記載の装置。
【請求項１４】
前記フレームは、ステアリングされていない物理（ＰＨＹ）フレームを含む第１セグメント、及び前記空間的にステアリングされたデータパケットを含む第２セグメントを有する請求項８から１１の何れか１項に記載の装置。
【請求項１５】
前記空間的にステアリングされたデータパケットは、単一の無線通信デバイスに送信され、前記フレームを送信することは、前記単一の無線通信デバイスの２以上のアンテナにより、受信のための２以上のアンテナを介して前記フレームを送信することを含む請求項８から１２の何れか１項に記載の装置。
【請求項１６】
前記空間的にステアリングされたデータパケットのそれぞれは、異なる無線通信デバイスに対して意図され、前記フレームを送信することは、前記異なる無線通信デバイスの２以上のアンテナにより、受信のための２以上のアンテナを介して前記フレームを送信することを含む請求項８から１３の何れか１項に記載の装置。